(57)【特許請求の範囲】
【請求項１】
厚みが０．４〜３．５ｍｍ且つ着磁ピッチが２．０〜７．０ｍｍの多極着磁マグネットシートの着磁面に表装材を装着してなる表装マグネットシートが、仏壇の内外の表面、扉、及び／又は、仏壇の棚、壇、及び段の水平上向き面に装備されており、該表装マグネットシートに対して、その表示状態とは異なる装飾であって、蛍光材及び／又は蓄光材がそれぞれ単独または任意に混合されたインクまたは塗料でもって１つの図柄表示層の全部又は一部分がそれぞれ形成されると共に、それぞれの図柄表示層を併せることでもって完成させた図柄表示層を設けることのできる装飾磁性シートを、磁気吸着にて着脱自在に構成し、内部に照明光源及び／又は紫外線源が配設されたことを特徴とする装飾衣換え仏壇。
【請求項２】
表装材が、仏壇に使用されている表装素材と同一又は模して作られていて、且つその厚みが０．０６〜４．５ｍｍであることを特徴とする請求項１に記載の装飾衣換え仏壇。
【請求項３】
表装マグネットシートを装備する面が垂直な場合は、多極着磁マグネットシートの磁極が水平方向に長く伸びる様に配置されており、又は、表装マグネットシートを装備する面が水平な場合は、多極着磁マグネットシートの磁極が仏壇の正面方向に対して直角方向に長く伸びる様に配置されていることを特徴とする請求項１又は請求項２に記載の装飾衣換え仏壇。
【請求項４】
多極着磁マグネットシートの厚みが１．０〜３．５ｍｍであり、且つ着磁ピッチが３．０〜７．０であることを特徴とする請求項１乃至３のいずれか一項に記載の装飾衣換え仏壇。
【請求項５】
多極着磁マグネットシートが仏壇本体に組み込まれ、表装材がその上にその周辺部と一体的に貼られて装備されているか、若しくは、多極着磁マグネットシートと表装材とが一体にシート化されており、且つ既存の仏壇に接着または粘着されて配設されていることを特徴とする請求項１乃至４のいずれか一項に記載の装飾衣換え仏壇。
【請求項６】
磁性シートは、印刷受理層を有するコート紙の裏面に、粒径が１〜数百ミクロンのソフトフェライト粉、又は鉄を主成分とする軟磁性分又は、ハードフェライト粉の３つの群から選ばれる１〜３種の単独又は混合物が乾燥後の体積で５８〜７４％含まれる磁性塗料からなり、厚さ０．０５〜１．０ｍｍの磁性粉層が設けられて構成されたことを特徴とする請求項１乃至５のいずれか一項に記載の装飾衣換え仏壇。
【請求項７】
磁性シートは、印刷受理層を有するコート紙の裏面に、厚さ０．０５〜０．２ｍｍのスチールシートが貼着されて構成されたことを特徴とする請求項１乃至５のいずれか一項に記載の装飾衣換え仏壇。
【請求項８】
磁性シートは、印刷受理層を有するコート紙の裏面に、表装マグネットシートの着磁ピッチと同じ着磁ピッチで厚さが０．２〜１．６ｍｍでなる多極着磁マグネットシートの着磁面の裏側が貼着されて構成されたことを特徴とする請求項１乃至５のいずれか一項に記載の装飾衣換え仏壇。
【発明の詳細な説明】
【技術分野】
【０００１】
本発明は、没個性的ではあるが伝統的で荘厳且つしめやかな従前の仏壇とは異なり、祀られている人の固有性や祀る人の思いを込めた個性的でユニークな装飾衣換え仏壇に関する。
【背景技術】
【０００２】
仏壇や祭壇或いは仏具などは、宗教の相違や宗派の相違によってそれぞれ異なるが、一般には、それぞれの宗教・宗派の中では、習慣や伝統、或いは文化に従って、画一的で、没個性的なものであった。荘厳性やしめやかさや故人への静かな想いが大切にされ、そのために、大きさや豪華さが重要で、銘木の種類や手彫りの彫刻で飾った欄間、高価な金箔や漆・蒔絵などの伝統工芸などがもっぱら重んじられてきた。
【０００３】
尚、家具調などの新型の仏壇が開発されているが、祀られる人（故人）や祀る人の個性や想いを現す仏壇では無かった。そのためもあって、若い世代は仏壇離れを始めている。
【０００４】
伝統的で決められた様式を踏襲することが是とされてきた仏壇に、新しい技術を適用する試みは少ないが、次のような技術が存在している。
蛍光灯が出現した際には、内部光源としての採用が、あるいは、特許文献１の様に、外部の光や熱でもって発電した電力を発光源に供給し、蛍光発光で風格を高める試み等があった。
特許文献２は、白木祭壇に蛍光顔料を塗布して尊厳な雰囲気を醸し出す工夫をし、特許文献３は、球体を磁気で浮遊させ、神秘性と荘厳な雰囲気を作ろうとしている。
【０００５】
特許文献４は、同一形状の小区画の表皮部材が磁石であって、磁気的な着脱自在性を活用して、鉄を装備した扉本体への該表皮部材が着脱自在とした仏壇であり、仏壇を載置する部屋や好みに応じて表皮層を取替え、又は表皮層の配置を入れ替えることが可能としている。
【先行技術文献】
【特許文献】
【０００６】
【特許文献１】実公平０６−４１５０３号公報
【特許文献２】特開平０９−１０８０９５号公報
【特許文献３】実用新案登録第３１５６０１７号公報
【特許文献４】実用新案登録第３１５３７８４号公報
【発明の概要】
【発明が解決しようとする課題】
【０００７】
上述の様に、特許文献１，２、及び３は、従前の仏壇や仏具に新たな技術を加えてはいるものの、祀られている人（故人）に固有の仏壇、すなわち故人の業績や趣味や人徳を偲ばせる物では無く、また、祀る人の想いを十分に表現することは困難であった。
【０００８】
他方で、大多数の人々は昔からの仏壇とその厳かで静的な雰囲気を尊く思い、また必要とする心理を失わず持ち合わせている。そこで、必要な時には個性的に装飾された仏壇を演出することが自在に出来る一方で、通常時には厳粛な雰囲気を醸し出す伝統的な仏壇に還ることが可能な仏壇の出現が待たれていた。
【０００９】
他方で特許文献４は、仏壇の本体に組み込んだ鉄に対して、表皮層としての磁石を着脱させるというもので、好適な磁石、或いは好適な被磁着体についての具体的な仕様や形状などが開示されていない。
【００１０】
本発明は上述した課題を解決するために成されたもので、仏壇の平面を効果的に装飾することでもって、祀られる人と、その故人を祀る人の想いを現すことが出来る個性的に装飾された衣を纏う仏壇を提案するものである。
その際、１つの仏壇に祀る対象は多くの場合複数であり、都度自在に個性を発露できることが肝要である。
他方で家族の中でとりわけ年配者は、没個性で画一的ではあるが伝統的な仏壇を求めている。
また、仏壇は高重量であり、自由に移動ができないことも考慮が必要である。
そこで、本発明は、仏壇を据え置き状態のままで、伝統的な状態と個性的な状態とに、簡単な構成でありながら、確実に切り替えることができる装飾衣換え仏壇を提供することを課題とする。
【課題を解決するための手段】
【００１１】
上記の課題を解決するために本発明は、厚みが０．４〜３．５ｍｍ且つ着磁ピッチが２．０〜７．０ｍｍの多極着磁マグネットシートの着磁面に表装材を装着してなる表装マグネットシートが、仏壇の内外の表面、扉、及び／又は、仏壇の棚、壇、及び段の水平上向き面に装備されており、該表装マグネットシートに対して、その表示状態とは異なる装飾であって、蛍光材及び／又は蓄光材がそれぞれ単独または任意に混合されたインクまたは塗料でもって１つの図柄表示層の全部又は一部分がそれぞれ形成されると共に、それぞれの図柄表示層を併せることでもって完成させた図柄表示層を設けることのできる装飾磁性シートを、磁気吸着にて着脱自在に構成し、内部に照明光源及び／又は紫外線源が配設されたことを特徴とする装飾衣換え仏壇とした。
この構成によれば、仏壇における各壁面は、装飾磁性シートを磁気吸着力（以下磁着力という）で取り付けるという簡単な作業で、伝統的な装飾状態から個性的な装飾状態に相互に切り替えることができる。
また、仏壇内部に照明光源及び／又は紫外線源を配設するようにすることにより、蛍光材や蓄光材などで印刷された図柄を発光させて、より効果的な装飾・演出が可能になる。
【００１２】
なお、表装材は、その仏壇に使用されている表装素材と同一又は模して作られていて、且つ厚みが０．０６〜４．５ｍｍとするのが好ましい。
また、表装マグネットシートを装備する面が垂直な場合は、多極着磁マグネットシートの磁極が水平方向に長く伸びる様に配置されており、又は、表装マグネットシートを装備する面が水平な場合は、多極着磁マグネットシートの磁極が仏壇の正面方向に対して直角方向に長く伸びる様に配置されているようにすることも、好ましい態様となる。
【００１３】
さらに、多極着磁マグネットシートの厚みが１．０〜３．５ｍｍの範囲であり、且つ着磁ピッチが３．０〜７．０ｍｍの範囲であれば、より確実な磁着が実現する。
【００１４】
多極着磁マグネットシートが仏壇本体に組み込まれ、表装材がその上にその周辺部と一体的に貼られて装備されているか、若しくは、多極着磁マグネットシートと表装材とが、一体にシート化されており、且つ既存の仏壇に接着または粘着されて配設されていても良い。
【００１６】
装飾磁性シートに使用する磁性シートは、印刷受理層を有するコート紙の裏面に、粒径が１〜数百ミクロンのソフトフェライト粉、又は鉄を主成分とする軟磁性分又は、ハードフェライト粉の３つの群から選ばれる１〜３種の単独又は混合物が乾燥後の体積で５８〜７４％含まれる磁性塗料からなり、厚さ０．０５〜１．０ｍｍの磁性粉層が設けられて構成されればよい。
【００１７】
なお、この磁性シートは、印刷受理層を有するコート紙の裏面に、厚さ０．０５〜０．２ｍｍのスチールシートが貼着されて構成されても良い。
【００１８】
あるいは、この磁性シートは、印刷受理層を有するコート紙の裏面に、表装マグネットシートの着磁ピッチと同じ着磁ピッチで厚さが０．２〜１．６ｍｍでなる多極着磁マグネットシートの着磁面の裏側が貼着されて構成されてもよい。
この場合は、対向するマグネットシートの異極同士が吸引し合って、より強い磁着が実現する。
【発明の効果】
【００２０】
仏壇の特定の面に磁場を発生させるためのマグネットシートは、有効な磁場を発生させるために一定以上の厚さが必要であるため、高重量となるが、本発明においては、該マグネットシートを仏壇本体側に装備させ、相対的に薄くて軽い装飾磁性シートを着脱させる構成としているので、装飾磁性シートの取り付け作業が、小さな力でスムーズ且つ確実に行うことができる。
【００２１】
装飾磁性シートの表面は、各種の印刷や塗装により多くの表現が可能であり、従来の伝統的な装飾状態を施した仏壇を、多くの個性的な装飾状態に、自由に切り替えることができる。
【００２２】
特に、蛍光材や蓄光材などを用いて任意の方法で祀られる人固有の装飾図柄を、祀る人の感性でもって思いを込めて表現すると効果的であり、祀る人は、装飾された仏壇と共に特別なひと時を過ごすことが出来る。
そして、該装飾された磁性シートを取り替えたり、或いは取り除くことによって、気分を変えたり季節に合わせたり、或いは従前の伝統的な仏壇に還ることが出来る。
【図面の簡単な説明】
【００２３】
【図１】本発明の１つの実施態様を表す断面図を示す。
【図２】本発明の他の実施態様を表す断面図を示す。
【図３】仏壇の略図を示す。
【図４】本発明の比較例１を表わす断面図を示す。
【図５】本発明における装飾図柄の一例である牡丹の花の図柄を示す。
【図６】仏壇の段のみの略図を示す。
【発明を実施するための形態】
【００２４】
従来の仏壇の伝統的で重厚な質感との対比で、祀られる人や祀る人の「人となり」を表現し演出する手段として、個性的な図柄が自在に選べ、更に光を採用し、広い面積での装飾が効果的なので、シート状の装飾とした。
本発明において、仏壇の平面でシートを着脱する広さは１ヶ所辺り、大略、用紙サイズＡ５〜Ａ１程度であるので、ハンドリングの容易さ、或いは磁着力が弱すぎて装飾を施すシートが自重落下する不具合や、逆に強過ぎると着脱の操作が難しくなる事など、交換の容易さを顧慮して、磁気的吸着・脱着に着目した磁気的な仕様を検討した結果、以下が好適なことを見出し、本発明に至った。
【００２５】
図１で、本発明の実施態様の１つを説明する。本発明で採用する表装マグネットシート７は、体積換算で５６〜７０％のストロンチュームフェライト粒子叉はバリウムフェライト粒子を塩素化ポリエチレン樹脂に分散させ、カレンダーロール法で成型した厚さ０．４〜３．５ｍｍ、着磁ピッチ２．０〜７．０ｍｍの多極着磁マグネットシート５の、着磁面に表装シート６が接着されている。
【００２６】
該表装シート６は、仏壇の表装素材、例えば銘木の黒檀や紫檀であり、又は模して作られているシートであって、厚さが０．０６〜４．５ｍｍである。模して作られているシートは、住友スリーエム株式会社製ダイノックス装飾フィルムや、シーアイ化成株式会社製ベルビアン化粧フィルムなどが採用される。厚さが薄ければマグネットシートが表装表面に形成する磁場が強くなって好都合だが、磨耗や圧迫、打撃衝撃などの機械的強度が弱くなってしまう。また、厚さが大きいと、該磁場が非常に弱くなって装飾磁性シート４の磁着が不確実になってしまうので好ましく無い。
【００２７】
該表装マグネットシート７は、接着材、又は粘着剤によって、仏壇基材８に貼り付けられ、仏壇と一体化している。この場合、該マグネットシートは該仏壇が製造される過程で組み込まれ、表層シートは周辺の表装シートと区別されること無く一体化して装備されている。
或いは、図２の本発明の他の実施態様の様に、表装マグネットシート１２は所定の大きさで製作され、表装シート１０の裏面に貼着された多極着磁マグネットシート９の裏面に設けられた粘着剤層１１で、既製の仏壇の表装材８ａに粘着、配設される。
【００２８】
なお、多極マグネットシート５，９の厚みが０．４ｍｍより薄いと、反磁界が急激に大きくなって、磁着力の低下が著しくなってしまう。本発明で、装飾磁性シートを確実に磁着させるためには、０．４ｍｍ以上の厚みが必要である。
また、厚みが大きい程高い表面磁束密度を確保する事が出来るが、３．５ｍｍを超えると、単位面積当たりの自重が著しく重くなり好ましく無いと共に、該シートを生産後、ロール巻きで保管・運搬する過程で巻き癖が付き、平面を保持したり、或いは矯正して平面に戻すことが困難であり、平面状に装備又は配設しなければならない本発明に於いては好ましく無い。
【００２９】
これらの多極着磁マグネットシート５，９の着磁ピッチは、２．０ｍｍ〜７．０ｍｍが好適である。２．０ｍｍ未満の着磁ピッチの場合、電流着磁ヨークの製作が煩雑で、かつ寿命が短くなる。更に、着磁されたマグネットシートの吸着力が弱い。
一般に着磁ピッチが大きい程高い表面磁束密度を確保する事が出来るが、着磁ピッチが７．０ｍｍを超える場合は、着磁のための一定以上の磁場を着磁ヨークで発生させる必要から、ピッチの大きさに相応した特別大電流を流す必要があり、現実的ではない。
【００３０】
本発明において、より確実な磁着力を確保するためには、多極着磁マグネットシートの厚さは１．０〜３．５ｍｍ、着磁ピッチは３．０〜７．０ｍｍがより好ましい。
【００３１】
該マグネットシートは、等方性、若しくは異方性を選択することが出来る。等方性に比べて異方性は表面磁束密度がやや高いので磁着力が勝り、該マグネットシートが薄い場合に好適である。
【００３２】
表装マグネットシートを装備する仏壇の面が垂直な場合は、該多極着磁マグネットシートの磁極が水平方向に長く伸びる様に配置することが好ましい。また、該仏壇の面が水平な場合は、該磁極が、仏壇の正面方向に対して直角方向に長く伸びる様に配置することが好ましい。
【００３３】
図１及び図２で示す、表装マグネットシート７に磁着させる装飾磁性シート４，１６は次の様にして作成することが出来る。すなわち、磁石に吸引される磁性シート３，１５の片面に、図柄表示層Ｅを形成するが、該図柄表示層Ｅは、蛍光材、蓄光材、および通常のインクあるいは塗料の３種類の群から、１〜３種を選択して、それぞれ単独又は混合したインク或いは塗料でもって、１つの図柄の全部又は一部をそれぞれ製作すると共に、それぞれの図柄を１枚の磁性シートに印刷又は塗装することによって、図柄を完成させる。
【００３４】
該磁性シート３，１５は、コート紙２，１４の印刷受理層の裏側に、粒径が１〜数百ミクロンのＭｎ−Ｚｎフェライトなどのソフトフェライト粉或いはその焼結粉砕粉を、乾燥後の体積で５８〜７４％含む磁性塗料とし、乾燥後の厚さが０．０５〜１．０ｍｍになる様に塗布して乾燥させた磁性粉層１，１３を形成させて作製することが出来る。
このソフトフェライトは錆びる事が無く化学的に安定なので、数十年以上に亘って受け継がれて行く仏壇にとっては特に好適である。
【００３５】
なお、ソフトフェライトに代えて、鉄を主成分とする軟磁性粉を採用しても良い。鉄粉は燐酸処理が防錆処理として有効である。センダストは、鉄を主成分としてアルミニウムを４〜５％、シリコンを９．５〜１０％含み比較的錆に強い。鉄粉やセンダスト粉は、高圧水−アトマイズ法で安価に生産することが出来る。
【００３６】
さらに、ソフトフェライト粉に代えて、マグネットシートの主原料として採用したストロンチュームフェライト粒子やバリウムフェライト粒子、或いはまたその焼結体の粉砕品を採用することが出来る。これら硬質磁性粉は着磁されたマグネットシートの磁場でもって弱く磁化し、磁着することが出来る。これらハードフェライト粉は錆びる事が無く化学的に安定なので、数十年以上に亘って受け継がれて行く仏壇にとっては特に好適である。
【００３７】
なお、磁性粉層１，１３の厚さが０．０５ｍｍ未満では、表装マグネットシートへの磁着力が弱く好ましくない。また、厚さが１．０ｍｍを超えると、重量が大きくなると共に柔軟性が無くなって取り扱いが難しくなるので好ましくない。
【００３８】
また、図１に示すように、磁性シート３は、磁性粉層１に換えて、印刷受理層を有するコート紙２の裏側に、厚さが０．０５〜０．２ｍｍのスチールシート１ａを貼って構成することも出来る。
なお、スチールシート１ａの厚みが０．０５ｍｍ未満のものは、製造が容易では無く、更に該箔にしわが入らない様に取り扱う事が困難である。また、０．２ｍｍを超えた場合も、機械的柔軟性が無くなり、且つ重くなってしまう。所定の寸法に鋏みなどで切断することも困難になるので好ましくない。
ちなみに、スチールシート１ａは、亜鉛や錫で鍍金処理することでもって錆を防ぐことが出来る。
【００３９】
そして、磁性シート３に図柄表示層Ｅを描いて装飾磁性シート４を得る。
固有性や想いを現す為に、通常のカラー印刷に限らず、蛍光材、或いは蓄光材のインクや塗料を採用して、それぞれ単独、或いは混合してデザインされた１つの図柄の部分を、１枚の磁性シートにそれぞれで順次描き、最終的に該図柄表示層Ｅを完成させる事が出来る。
なお、表示方法は、インクジェット方式、或いは版画方式など、任意の手段が使える。
【００４０】
本発明で用いる蓄光材は、アルミン酸ストロンチューム系として知られているアルミンサンストロンチューム・ユウロビウム・ジスプロシウムが好適である。屋外で使用することは無いが、発光の明るさが硫化亜鉛系に比べて約１００倍明るい。
なお、発光色は、一般には青〜緑の弱く淡い色であり、可視光〜紫外線を吸収して、それらが照射されなくなっても、数〜８時間程度の間、発光を継続する。
【００４１】
本発明で用いる蛍光材は、発光色をどの様にデザイン・選択するかでもって、おのずと決まる。最近多くの組成が開発され、可視光から紫外線の領域の電磁波で励起し発光するので、その中から選択することが出来る。例えば赤色に対してはＹ２Ｏ２Ｓ系、青色に対してはＢａＭｇＡｌ１０Ｏ１７系などがある。
なお、蛍光材の発光は、蓄光材の発光に比べて遥かに明るいので、通常の照明下で、より鮮やかで鮮明になる特長がある。
【００４２】
これらの蓄光材や蛍光材は、いずれも粉末状で、可視光や紫外線を良く透過するバインダーに混練されて、印刷又は塗布される。
なお、蓄光材と蛍光材はそれぞれ化学的に比較的安定なので、通常、印刷部分を隣接させる事が可能で混在させる事も出来る。
そして、図柄Ｅやその色のデザインにしたがって、通常の照明時の発色、紫外線のみ照射時の発色、及び可視光、紫外線共に停止した場合の発色を考慮して、採用する材料を選択する。
【００４３】
図柄表示層Ｅは、磁性シート３の全面を使って描かれるか、若しくは一部のみに描かれる。
仏壇全体を考慮して、或いは、図柄によっては、発光材を塗らない平面があっても良い。
更に、仏壇全体で１つの図柄を構成する様に、図柄をデザインすることが出来る。
或いは、磁性シート毎に、異なる図柄であっても良い。祀られる故人の固有性や祀る人の想いがデザインを決める。
【００４４】
該蓄光材や蛍光材の発光材は、仏壇や仏具に直接塗布しても良いが、衣換えする目的からは磁性シート３に印刷又は塗布する。該装飾を施された磁性シート３は、仏壇本体の面の部分に装備又は配設した多極着磁マグネットシート５に磁気吸引されるので、貼ったり、取り去ったりする事が自在である。磁気的な吸引力は、シートや壁面の汚れや経時の影響を受けずに安定しているので好便である。
【００４５】
上述した様に、装飾磁性シート３に、蛍光材、蓄光材或いは通常の塗料やインクを用いて図柄を形成して装飾されたシートを得て、それらを仏壇の表装マグネットシート７に磁着させれば、個性的に装飾された仏壇を演出することが出来る。
【００４６】
磁着させてあったシートを交換させることでもって、他の個性的雰囲気へと模様換えを行う事が出来る。
該模様換えと同時に、他の模様換えを実施すれば気分は一新する。位牌は勿論、例えば欄間２１の空間に置かれた彫刻物（図示せず）の交換や欄干の交換、或いは、内背面１８、外壁１９、内扉（下）２０ａ、内扉（上）２０ｂの垂直面などに磁着していた装飾磁性シート（例えば高僧の姿図の図柄を表現／図示せず）を、別の図柄表示層を描いた装飾磁性シートに交換、或いは取り外しを行う。
本説明は主に仏壇内部の装飾衣換えについて説明しているが、仏壇の外扉や側面などの外装についても同様の装飾衣換えが出来る事は言うまでもない。
【００４７】
仏壇内部に可視光照明光源と紫外線源の両者を備えることが好ましい。可視光照明下では、蛍光材は鮮やかな色彩を放って装飾性や演出性を高め、紫外線源は、可視光照明が乏しくなった際蛍光材及び蓄光材を発光させて、個性的に装飾された仏壇を鮮やかに演出する。
仏具や装飾彫刻などの一部に蛍光材や蓄光材を塗り、特別な効果を挙げることが出来る。蝋燭や提燈、或いは燈篭に設置された蝋燭の炎の模型に、赤橙色に発色する蛍光材を塗布すれば、照明を落とした深夜に、紫外線照射によって火災の危険性の無い蝋燭の光を発し続ける事が出来る。
天女の彫刻の装飾が施されていれば、天女の羽衣部分に薄い桃色に発色する蛍光材を塗布することも効果的である。該部分に蓄光材を重ね塗りすれば、紫外線や可視光を絶った後、異なる雰囲気の天女を演出する事が出来る。
【００４８】
該仏具や装飾物は、模様換え時に取り去るか若しくは交換して文字通り模様換えを行う事によって、本発明の目的がより効果的に達成される。
【００４９】
該装飾磁性シートは、仏壇内部だけでは無く、扉や台座などへの適用が可能である。特許文献４は、扉外面の模様替えが可能とし、仏壇を載置する部屋の雰囲気や好みによって変更することが提案されているが、本発明は部屋や季節を越えて、該仏壇に祀られている複数の故人やその故人と関わってきた祀る人自身の個性、想いを、然るべき時に表現・演出し、やがて模様換えを行うことによってたちまちにして、日常の生活に戻ることが出来る。
【００５０】
なお、図１に表わした表装マグネットシート７に磁着させる装飾磁性シート４は、マグネット製としてもよい。
即ち、この場合の磁性シート３はマグネット製となっていて、具体的には、印刷受理層を有するコート紙２の裏面に対し、厚さ０．２〜１．６ｍｍ、着磁ピッチ２．０〜７．０ｍｍの多極着磁マグネットシート１ｂを、その着磁面の裏側を貼着させるようにして作製する。
そして、コート紙の印刷受理層には、上述したような図柄表示層Ｅが表現される。
但し装飾は、このコート紙２に換えて、市販されている装飾シート等を貼って代用しても構わない。
この多極着磁マグネットシート１ｂの厚さは、表装マグネットシート７に対向させて、磁石同士で磁着させるので、０．２ｍｍの厚さ以上で目的が達せられる。厚さが１．６ｍｍを超えると、自重が大きくなり取り扱いが難しくなると共に鋏みやカッターで所定の寸法に切断することが困難になるので好ましくない。
【００５１】
なお、多極着磁マグネットシート１ｂの着磁ピッチは、仏壇に装備された表装マグネットシートの着磁ピッチに一致させているので、磁石同士が磁極の方向を揃えて強固に磁着する。
【００５２】
表装マグネットシート７が垂直な面に装備されている場合は、表装マグネットシートの磁極が水平方向に伸びる様に装備されているので、該表装マグネットシート７に磁着した装飾マグネットシート４が自重で下方へ移動する力が働いても、装飾マグネットシート４の磁極と表装マグネットシート７の磁極の同極同士が近づき磁気的反発力を受けるので、装飾マグネットシート４が下方へ自重で移動することが妨げられる。本効果は表面の状態＝摩擦に無関係なので、摩擦係数が非常に小さい艶のある仏壇表面の表装であっても、比較的重量のある装飾マグネットシート４を磁着・固定しておく事が出来るので好都合である。
【００５３】
なお、水平な面に装備されている表装マグネットシート７の場合は、磁極が長く延びた方向は仏壇正面に向かって直角方向になる様に装備されているので、装飾マグネットシート４を磁着させる際、無造作な作業であっても、磁極が伸びた方向をキチンと揃えることが出来る。
【００５４】
以上は仏壇に限って説明したが、本発明は祭壇にも適用出来る。通夜や本葬時の祭壇、その付帯設備・道具に対しても適用できる。
更に本発明は、仏教に限らず他の宗教・宗派やその装飾・演出に適用する事が出来る。
【実施例１】
【００５５】
図１に表わした本発明の１つの実施態様を、図３に示す仏壇１７の内扉（下）２０ａに適用した。
具体的には、厚さ２．０８ｍｍ、着磁ピッチ４．０ｍｍの多極着磁マグネットシート５の着磁面を表にして、内扉（下）２０ａに組み込み、その表面を仏壇本体に使用されている紫檀の木材の１．０ｍｍの厚さにスライスされたシート状素材を貼って、表装マグネットシート４を内扉（下）２０ａに一体化させた。
【００５６】
なお、磁性シート３は、最大粒子径が約７０ミクロンの防錆処理された鉄粉を塩化ビニル−酢酸ビニル共重合体とポリエステルウレタンとの混合物を適量の有機溶媒に溶かした溶液中に分散させた磁性塗料を、コート紙の裏面に乾燥後の厚さが約０．０７ｍｍにコーティングした総厚約０．１７ｍｍのメタリックなシートを使用し、その印刷受理層に、図柄表示層Ｅとして、故人が好んで育てていた赤い牡丹に因んで、図５に示すような牡丹の花の図２８を描いた。
【００５７】
具体的には、葉の部分２９は緑色に発光する蛍光材、外側の花弁３０は鮮やかな赤色に発色する蛍光材、内側の花弁３１は赤色に発色する少量の蛍光材に加えて白色に近い発色の蛍光材を混合して桃色に見える様に、そして花芯部分３２は橙色に発色する蛍光材で描いた。
該図柄の輪郭は蓄光材インクをインクジェット法で描いた。
【００５８】
そして、装飾磁性シート４を鋏みで所定の寸法に切り出し、上記表装マグネットシート７を一体化させた内扉（下）２０ａの面に磁着させた。該装飾磁性シート４を該表装マグネットシート７に仮止めしてから、位置の微調整が簡単なので、周辺に不均等な隙間や、或いは該装飾シート４に皺を発生させる事無く、容易に且つ確実に貼る事が出来た。
装飾磁性シート４を完成後、花に舞う蝶を描くことを忘れている事に気付き、新たに、別の磁性シートに紫アゲハチョウを蛍光材で描き、切り出して、該牡丹の図柄表示層の上に重ねて磁着させることができた。
【００５９】
日中や室内の照明が明るい間、牡丹の花は、可視光による色彩に加えて蛍光材が発光して鮮やかに燃える様であったが、暗くなって照明を落とすとともに紫外線を照射すると、暗闇の中に鮮やかな色彩の牡丹が浮かび上がり、あたかも故人が自慢している様であり、仏壇内も明るくなった。
紫外線照射を止めると鮮やかな赤い花びらが薄緑色のはかない縁取りに様変わりして、故人の自慢の牡丹の色彩が残像として浮かび、あたかも思い出となった様であった。
【実施例２】
【００６０】
図１に表わした本発明の１つの実施態様を、図３に示す仏壇１７の内背面１８と内扉（上）２０ｂに適用した。
具体的には、厚さ０．６ｍｍ、着磁ピッチ２．５ｍｍの多極着磁マグネットシート５の着磁面を表にして、内背面１８全面と内扉（上）２０ｂの部分に埋め込み、その表面を、厚さ０．２ｍｍの装飾シートで覆って、表装マグネットシート７を仏壇と一体化させた。
なお、表装シート６は、塩化ビニール系樹脂のシートに紫檀の木目模様を精巧に印刷したシートで、接着材で貼り付けて仏壇に一体化させた。
【００６１】
そして、装飾磁性シート４は、防錆処理された厚さ約０．０５ｍｍのスチールシートの片面にコート紙を貼った総厚約０．１６ｍｍの磁性シートを２枚用意した。
１枚は、青白く発色する蛍光材を中央部分は厚く、放射状に外側に行くほど薄くなる様に傾斜させ、他の１枚は前面により青っぽく発色する蓄光材を均一に塗った。
所定の寸法に鋏みで切断し、前者の１枚は内背面１８全体に磁着させ、後者の１枚は２分割してそれぞれ内扉（上）２０ｂに磁着させた。
【００６２】
内背面１８は用紙サイズＡ１相当の広さがあり、その広さが約４９００ｃｍ２程度と大きいので該装飾磁性シート４は総重量約０．５ｋｇ弱あったが、厚さ０．６ｍｍのマグネットシートを採用した仮の場合の重量である約１．３ｋｇに比べると取り扱いが容易だった。更に、折り目や皺が付かないように注意深く装着する必要があるが、一旦大まかな位置に磁着させておいてから、隅に隙間や皺が出来ない様に位置の調整が出来るので、容易に且つ精確に磁着させることが出来た。
【００６３】
室内照明時には蛍光材の発色で仏壇内が一層明るくなった。夜になって、可視光照明を落とし紫外線を照射すると、仏壇の中央に置かれた位牌の後方の面の蛍光材が発色して、あたかも後光が発せられているかの様であった。
紫外線照射を止めると一瞬暗闇になったが、一対の扉内面が淡い青色に浮かび上がり、仏壇内部をかすかに照らして、静かに故人を偲ぶ世界への入り口の門の様であった。
【実施例３】
【００６４】
実施例１において、防錆処理された鉄粉に換えて、マグネットシートの主原料の１つであるストロンチュームフェライト粒子（粒径約２ミクロン）を採用した。
該磁性粉を塩化ビニルと酢酸ビニル共重合体をバインダーとする溶媒溶液中に分散させ、溶媒乾燥後の厚さが０．４ｍｍに成る様に、コート紙に塗布・乾燥させて、装飾のための磁性シートを準備した。
【００６５】
実施例１と同様にして、該磁性シートに通常のインクで蓮の花を描き、平常時には、牡丹の図柄などの特別な装飾に変えて内扉を飾った。
更に、義理の両親が孫に会いに来た平日には、該蓮の花の装飾を外して本物の紫檀の木の質感で装った。
【実施例４】
【００６６】
従前の仕様で製作した図３に示す仏壇１７の欄間２１の正面奥の面に、図２に表わした本発明の他の実施態様を適用した。
具体的には、厚さ０．８ｍｍ、着磁ピッチ３．０ｍｍの多極着磁マグネットシート９の着磁側に、実施例２で用いた厚さ０．２ｍｍの表装シート１０を張り、反対側に粘着剤層１１を設けて、該粘着剤でもって該欄間２１の正面奥の面に、表装マグネットシート１２を配設した。
【００６７】
次に、実施例３で用いたストロンチュームフェライトに換えて、Ｍｎ‐Ｚｎソフトフェライト粒子を採用した事の他は実施例３と同様にして、装飾のための磁性シートを得た。
該磁性シートに蓄光材を塗布して所定寸法に切り抜き、該表装マグネットシートに磁着させた。
【００６８】
実施例２に加えて本実施例を実施した。可視光照明を落とし紫外線を照射すると、位牌に後光が射すかの様な光に加えて、欄間の奥深くからの微かな光が認められ、紫外線を断つと、一対の門とともに、欄間の彫刻（図示せず）のシルエットがかすかに浮かび上がり、その陰影が奥行きを一層深めていた。
【実施例５】
【００６９】
特別な日を終えたあと、実施例２で用いた装飾磁性シート４を外した。
通常の仏壇では平常時には、ご本尊と両脇仏の印刷物を小さな掛け軸の様に天井から吊るすか、若しくは背面に設けた金具に引っ掛けていたが、本発明においては、磁気的に吸着させ、貼り付ける事が出来た。
【００７０】
すなわち、半立体的な彫像が施されたご本尊及び両脇仏の背面に設けられた面の部分に、厚さ０．４ｍｍ、着磁ピッチ２．５ｍｍの多極着磁マグネットシートの非着磁面を接着材で貼る事により、金具や吊り糸を使わずに、該仏具を内背面１８の所定の位置に磁着・固定することが出来た。
【００７１】
表装マグネットシート７、及び該仏具に貼り付けられた多極着磁マグネットシートの着磁ピッチは同一（２．５ｍｍ）であり、さらに、該磁極は、水平方向に伸びた配置になっている。
そのため、該２枚のマグネットシートは、表装シート６の厚さの０．２ｍｍを鋏んで異極同士が強力に吸引する一方で、該仏具の自重で該仏具が下方へ落下しようとすると、マグネットシートのお互いの同極が近づき、重なろうとするが、この時、反発力が働くので、該仏具が下方へ移動することが妨げられた。
装飾された羽子板の様に立体的で決して軽くは無い該仏具を、磁気的に固定して飾ることが出来た。
【実施例６】
【００７２】
仏壇には、壇、段、或いは棚と呼ばれる階段状に似た構造があり、そこに、様々な仏具が載置される。例えば図６は仏壇の段のみの略図を表したものであり、複数の段３４，３４．．．からなる基台３３に、打敷３５と呼ばれる敷物が、夫々の段３４から垂下がった状態で使用される。更に、色々な仏具が、該段に直接、或いは該打敷の上に置かれる。
【００７３】
そして、厚さ３．０ｍｍ、着磁ピッチ５．０ｍｍの多極着磁マグネットシートを、段３４の水平面に適用した。
段３４の上面全体に該多極着磁マグネットシートを、着磁面が上面になる様に貼り、その上に、厚さ３．０ｍｍの該段を製作する無垢材を張り合わせて、あたかも１枚の無垢材で製作した様に見える段を製作した。
【００７４】
段３４に敷く打敷３５の、段３４の上面に載る部分の裏側に、厚さ０．４ｍｍ、着磁ピッチ５．０ｍｍのマグネットシートを予め貼っておくと、マグネットシート同士の磁着によって打敷の位置が決まり、且つ斜めにずれたり、ずり落ちることが無くなった。
【００７５】
（比較例１）
図４は、本発明の比較例１の断面図を示したものであり、表装マグネットシートを装備していない従来の仏壇に対して、実施例１における装飾磁性シート４に代わり、装飾粘着シート２７を採用した構成を表している。
具体的には、コート紙２４の裏面に粘着剤層２３を設け、その表面を離型紙２５で覆った粘着シート２６が形成されており、コート紙２４の表面には、実施例１と同様な図柄表示層Ｅを設けた構成の装飾粘着シート２７が示されている。
【００７６】
なお、この構成では、内扉（下）２０ａの紫檀材表面に装飾粘着シートを貼り付ける際、仮留めをして位置の微調整をすることが困難であり、周辺部を隙間無くピッタリと貼る事が出来なかった。更に該作業の際に該装飾シートに皺が入ってしまった。
また、取り外した該装飾粘着シート２７は再使用する目的で保管する必要があり、粘着剤層２３の表面を汚れから守るには当初剥がした離型紙２５を保管して置かねばならないが、それは事実上不可能である事が明らかになった。
更に、長期間何も貼る事無く放置されていた仏壇の内張り表面は埃で汚れていて、粘着剤が付きにくく、且つ、粘着剤層２３の表面に該埃が粘着してしまい、該装飾粘着シート２７を再び粘着させる事が難かしくなってしまい、繰り返し使用が出来なかった。
【００７７】
（比較例２）
実施例２において、蛍光材や蓄光材を用いず、通常のインクで同様の図柄表示層を描いた。
照明を落とすと一様な暗闇となり、故人を偲んだり、故人と対話する雰囲気にはなれなかった。
【産業上の利用可能性】
【００７８】
本発明は、仏壇や仏具に関わり、簡単な衣換えによって祀られる人や祀る人の固有性や想いを表現する事が出来て、個性的な演出が可能な装飾仏壇を提案する。
洋室向きの外観装飾が可能で、必要に応じて装いを変える装飾を行ったり、或いは伝統的な従前の仏壇に帰ることが、簡単な衣換えによって実現出来るので、仏壇離れの著しい若い世代に受け入れられるとともに幅広く普及させる事が出来る。
仏壇に限らず祭壇への適用が可能で、厳粛で荘厳な演出と、明るく華やかな、或いは目を見張る演出との両者が可能である。
【符号の説明】
【００７９】
Ｅ  図柄表示層
１  磁性粉層
１ａ  スチールシート
１ｂ  多極着磁マグネットシート
２  コート紙
３  磁性シート
４  装飾磁性シート
５  多極着磁マグネットシート
６  表装シート
７  表装マグネットシート
８  仏壇基材
８ａ  表層材
９  多極着磁マグネットシート
１０  表装シート
１１  粘着剤層
１２  表装マグネットシート
１３  多極着磁マグネットシート
１４  コート紙
１５  磁性シート
１６  装飾マグネットシート
１７  仏壇
１８  内背面
１９  外扉
２０ａ  内扉（下）
２０ｂ  内扉（上）
２１  欄間
２３  粘着材層
２４  コート紙
２５  離型紙
２６  粘着シート
２７  装飾粘着シート
２８  牡丹の花の図
２９  牡丹の葉
３０  花弁
３１  花弁
３２  花芯
３３  基台
３４  段
３５  打敷
【図１】
0005796902.tif 000002
【図２】
0005796902.tif 000003
【図３】
0005796902.tif 000004
【図４】
0005796902.tif 000005
【図５】
0005796902.tif 000006
【図６】
0005796902.tif 000007